(57)【特許請求の範囲】
【請求項１】
カラオケ演奏に際して、楽曲毎にデフォルト設定された背景映像データに代えて、外部記憶媒体に記憶された外部入力映像データを背景映像として表示可能なシステムであって、接続確認手段と、背景映像選択手段と、歌詞文字サイズ選択手段と、背景映像出力制御手段と、歌詞文字出力制御手段と、映像再生制御手段と、を備え、
前記接続確認手段は、再生可能な外部入力映像データが記憶された外部記憶媒体が、所定の外部記憶媒体接続端子に接続されたか否かを確認し、
前記背景映像選択手段は、前記外部記憶媒体の接続が確認されない場合、前記楽曲毎にデフォルト設定された背景映像データを背景映像として選択し、前記外部記憶媒体の接続が確認された場合、前記外部記憶媒体に記憶された外部入力映像データを背景映像として選択し、
前記歌詞文字サイズ選択手段は、前記背景映像選択手段が、デフォルト設定された背景映像データを選択した場合、デフォルト設定された表示サイズを選択し、外部記憶媒体に記憶された外部入力映像データを選択した場合、前記デフォルト設定された表示サイズよりも小さな表示サイズを選択し、
前記背景映像出力制御手段は、前記選択された背景映像データ又は外部入力映像データのいずれかを出力し、
前記歌詞文字出力制御手段は、前記選択された表示サイズの歌詞文字を出力し、
前記映像再生制御手段は、前記背景映像選択手段により選択された背景映像及び前記歌詞文字サイズ選択手段により選択された表示サイズの歌詞文字をスーパーインポーズ処理して表示装置に表示させる、
ことを特徴とするカラオケ歌詞文字サイズ制御システム。
【請求項２】
歌詞文字サイズ設定手段をさらに備え、
前記歌詞文字サイズ設定手段は、前記外部記憶媒体に記憶された外部入力映像データを選択した場合、楽曲毎にデフォルト設定された歌詞文字の表示サイズよりも小さな複数の表示サイズの中から、利用者が所望する歌詞文字の表示サイズを設定可能とする、
ことを特徴とする請求項１に記載のカラオケ歌詞文字サイズ制御システム。
【発明の詳細な説明】
【技術分野】
【０００１】
本発明は、カラオケ演奏時に表示される歌詞文字の表示サイズを制御するためのシステムに関するものであり、特に外部記憶媒体に記憶された外部入力映像データを背景映像として表示する際に、デフォルト設定された表示サイズと比較して小さなサイズの歌詞文字を表示することが可能なカラオケ歌詞文字サイズ制御システムに関するものである。
【背景技術】
【０００２】
現在のカラオケ演奏装置では、カラオケ利用者の多用な要望に応えるため、楽曲毎にデフォルト設定された背景映像データに代えて、利用者が任意に設定した外部入力映像データを背景映像として表示することができるものがある。例えば、カラオケ演奏装置に外部記憶媒体の外部記憶媒体接続端子を設けることにより外部記憶媒体に記録された映像データを取り込み、楽曲の演奏に際して当該外部入力映像データを背景映像として表示することができるカラオケシステムが開示されている（特許文献１参照）。この際、背景映像として表示可能な外部入力映像データは、デジタルカメラで撮影した映像データであることが一般的である。例えば、デジタルカメラで撮影した映像データは、外部記憶媒体（例えばＳＤメモリカード）に記憶されており、この外部記憶媒体をカラオケ演奏装置に接続して映像データを取り込むことにより、デジタルカメラで撮影した映像データを背景映像として表示することができるようになっている。
【０００３】
ところで、デフォルト設定された背景映像データに代えて、利用者が所望する外部入力映像データを背景映像として表示させる場合には、当該利用者にとってみれば、あえて外部入力映像を表示させているため、極力、背景映像の邪魔になる他の表示は行わないことが好ましい。
【０００４】
しかし、歌唱者が歌詞を完全に暗記している等、特別な場合を除いて、カラオケ演奏装置を用いて歌唱を行う場合には、楽曲の演奏に同期させて歌詞文字を表示させる必要がある。すなわち、カラオケ演奏装置の本来の機能としては、歌唱支援を行うための歌詞テロップの表示は必須であり、利用者が歌詞テロップを見易いように歌詞文字の表示サイズがデフォルト設定されている。
【０００５】
そこで、カラオケ演奏装置の利用状況に応じて歌詞文字の表示サイズを変更することができれば、カラオケ演奏装置本来の機能を損なうことなく、外部入力映像データを背景映像として表示して楽しむことができる。従来、利用者にとって見易い歌詞テロップを表示することを目的とした技術が開示されている（特許文献２参照）。この特許文献２に記載された技術は、利用者の年齢や楽曲の演奏速度に応じて、歌詞文字の表示サイズを設定できるようになっている。
【先行技術文献】
【特許文献】
【０００６】
【特許文献１】特開２００９−８９７７号公報
【特許文献２】特開平７−３３４１７８号公報
【発明の概要】
【発明が解決しようとする課題】
【０００７】
上述したように、利用者が所望する外部入力映像データを背景映像として表示させる場合には、歌唱そのものよりも、歌唱を含む演奏をＢＧＭとして、背景映像を楽しむことが利用者の主目的となり、デフォルト設定された表示サイズで表示される歌詞テロップは邪魔なものとなる。一方、カラオケ装置本来の機能として、歌詞テロップの表示は必要である。
【０００８】
上述した特許文献２に記載された技術では、例えば年配者が歌唱する際に、デフォルト設定された表示サイズではなく、拡大サイズの歌詞文字を表示するような設定を行うことができる。しかし、デフォルトサイズと拡大サイズとの切り替えは、設定スイッチによる表示サイズの設定に応じて行われるため、歌詞文字を拡大サイズで表示させるためには、その都度、設定を行わなければならず、設定操作が面倒であるという問題があった。
【０００９】
一方、拡大サイズの設定に切り替えてしまうと、それ以降は、拡大サイズの表示モードで歌詞文字が表示されることになる。したがって、デフォルト設定された表示サイズに切り替えるためには、再度設定サイズの切り替えを行わなければならず、利用者に対して一々面倒な操作を強いることになる。
【００１０】
本発明は、上述した事情に鑑み提案されたもので、外部記憶媒体に記憶された外部入力映像データを背景映像として表示する際に、一々面倒な操作を行うことなく、デフォルト設定された表示サイズと比較して小さなサイズの歌詞文字を表示することが可能なカラオケ歌詞文字サイズ制御システムを提供することを目的とする。
【課題を解決するための手段】
【００１１】
本発明のカラオケ歌詞文字サイズ制御システムは、上述した目的を達成するため、以下の特徴点を有している。すなわち、本発明のカラオケ歌詞文字サイズ制御システムは、カラオケ演奏に際して、楽曲毎にデフォルト設定された背景映像データに代えて、外部記憶媒体に記憶された外部入力映像データを背景映像として表示可能なシステムであって、接続確認手段と、背景映像選択手段と、歌詞文字サイズ選択手段と、背景映像出力制御手段と、歌詞文字出力制御手段と、映像再生制御手段と、を備えたことを特徴とするものである。
【００１２】
接続確認手段は、再生可能な外部入力映像データが記憶された外部記憶媒体が、所定の外部記憶媒体接続端子に接続されたか否かを確認するための手段である。背景映像選択手段は、外部記憶媒体の接続が確認されない場合、楽曲毎にデフォルト設定された背景映像データを背景映像として選択し、外部記憶媒体の接続が確認された場合、外部記憶媒体に記憶された外部入力映像データを背景映像として選択するための手段である。歌詞文字サイズ選択手段は、背景映像選択手段が、デフォルト設定された背景映像データを選択した場合、デフォルト設定された表示サイズを選択し、外部記憶媒体に記憶された外部入力映像データを選択した場合、デフォルト設定された表示サイズよりも小さな表示サイズを選択するための手段である。背景映像出力制御手段は、選択された背景映像データ又は外部入力映像データのいずれかを出力するための手段である。歌詞文字出力制御手段は、選択された表示サイズの歌詞文字を出力するための手段である。映像再生制御手段は、背景映像選択手段により選択された背景映像及び歌詞文字サイズ選択手段により選択された表示サイズの歌詞文字をスーパーインポーズ処理して表示装置に表示させるための手段である。
【００１３】
このような構成からなるカラオケ歌詞文字サイズ制御システムでは、任意の楽曲が演奏される際に、接続確認手段の機能により、再生可能な外部入力映像データが記憶された外部記憶媒体が、所定の外部記憶媒体接続端子に接続されたか否かを確認する。そして、背景映像選択手段の機能により、外部記憶媒体が接続されていない場合には、楽曲毎にデフォルト設定された背景映像データを背景映像として選択する一方、外部記憶媒体が接続されている場合には、外部記憶媒体に記憶された外部入力映像データを背景映像として選択する。
【００１４】
また、歌詞文字サイズ選択手段の機能により、背景映像選択手段が、デフォルト設定された背景映像データを選択した場合には、歌詞文字の表示サイズとして、デフォルト設定された表示サイズを選択する一方、外部記憶媒体に記憶された外部入力映像データを選択した場合には、デフォルト設定された表示サイズよりも小さな表示サイズを選択する。
【００１５】
そして、背景映像出力制御手段の機能により、選択された背景映像データ又は外部入力映像データのいずれかを出力し、歌詞文字出力制御手段の機能により、選択された表示サイズの歌詞文字を出力する。出力された背景映像及び歌詞文字は、スーパーインポーズ処理されて表示装置に表示される。
【００１６】
上述した構成に加えて、外部記憶媒体に記憶された外部入力映像データを選択した場合、楽曲毎にデフォルト設定された歌詞文字の表示サイズよりも小さな複数の表示サイズの中から、利用者が所望する歌詞文字の表示サイズを設定可能とする歌詞文字サイズ設定手段をさらに備えることが可能である。
【００１７】
このような構成からなるカラオケ歌詞文字サイズ制御システムでは、例えば、楽曲毎にデフォルト設定された歌詞文字の表示サイズが「大」である場合に、外部入力映像データを背景映像として表示する場合の歌詞文字の表示サイズとして「中」、「小」、「極小」の３種類が選択可能とされている。そして、歌詞文字サイズ選択スイッチ等を操作して、利用者が所望する歌詞文字の表示サイズとして「小」を選択すると、歌詞文字サイズ設定手段の機能により、外部入力映像データを背景映像とする場合に表示する歌詞文字の表示サイズが「小」に設定される。
【発明の効果】
【００１８】
本発明のカラオケ歌詞文字サイズ制御システムによれば、カラオケ演奏装置において、再生可能な外部入力映像データが記憶された外部記憶媒体が接続されると、自動的に、楽曲毎にデフォルト設定された背景映像データに代えて、当該外部入力映像データが背景映像として表示される。さらに、外部入力映像データを背景映像として表示する場合には、自動的に、デフォルト設定された表示サイズよりも小さな表示サイズの歌詞文字が表示される。
【００１９】
したがって、利用者が自ら持ち込んだ映像（外部入力映像）をカラオケと共に楽しむ際に、利用者が面倒な操作を行うことなく、その映像をカラオケの背景映像として採用することができる。さらに、その持ち込み映像が採用された場合、演奏中にて歌唱には支障が無い程度に、通常のデフォルトの表示サイズよりも小さな歌詞文字の表示サイズに自動的に変更することで、持ち込んだ映像はより見易くなり、利用者は、カラオケと共に、より一層、その映像を楽しむことができる。
【００２０】
また、外部入力映像データを背景映像とする際に表示される歌詞文字の表示サイズを設定可能とした場合には、利用者にとって好適な表示サイズの歌詞文字を表示することができるので、利用者が持ち込んだ映像をさらに一層楽しむことができる。
【図面の簡単な説明】
【００２１】
【図１】本発明の実施形態に係るカラオケ歌詞文字サイズ制御システムの主要部を示す機能説明図。
【図２】本発明の実施形態に係るカラオケ歌詞文字サイズ制御システムを適用したカラオケシステムの構成を示すブロック図。
【図３】本発明の実施形態に係るカラオケ歌詞文字サイズ制御システムにおける背景映像及び歌詞文字の表示サイズの選択及び出力制御処理を示すフローチャート。
【図４】本発明の実施形態に係るカラオケ歌詞文字サイズ制御システムにおける歌詞テロップ表示の一例を示す模式図。
【発明を実施するための形態】
【００２２】
以下、図面を参照して、本発明のカラオケ歌詞文字サイズ制御システムの実施形態について説明する。図１〜図３は本発明の実施形態に係るカラオケ歌詞文字サイズ制御システムを示すもので、図１はカラオケ歌詞文字サイズ制御システムの主要部を示す機能説明図、図２はカラオケ歌詞文字サイズ制御システムを適用したカラオケシステムの構成を示すブロック図、図３は背景映像及び歌詞文字の表示サイズの選択及び出力制御処理を示すフローチャート、図４は歌詞テロップ表示の一例を示す模式図である。
【００２３】
＜カラオケ歌詞文字サイズ制御システムの概要＞
本発明の実施形態に係るカラオケ歌詞文字サイズ制御システムは、例えば、ＳＤメモリカード等の外部記憶媒体を接続することができる外部記憶媒体接続端子を備えており、外部記憶媒体に記録された映像データを取り込み、楽曲の演奏に際して当該外部入力映像データを背景映像として表示することができるカラオケ演奏装置に適用される技術である。すなわち、本発明の実施形態に係るカラオケ歌詞文字サイズ制御システムは、楽曲毎にデフォルト設定された背景映像データに代えて、外部記憶媒体に記憶された外部入力映像データを背景映像として表示させることができ、さらに、背景映像データの種類に応じて、歌詞文字の表示サイズを自動的に変更することができるようになっている。
【００２４】
＜カラオケシステム＞
本発明の実施形態に係るカラオケ歌詞文字サイズ制御システム１０を適用するカラオケシステムは、図２に示すように、カラオケ本体２１、カラオケリモコン装置２２、スピーカ２３、ミキシングアンプ２４、マイクロホン２５、表示装置２６を備えている。また、本実施形態のカラオケシステムは、図１に示すように、ＳＤメモリカード等からなる外部記憶媒体２７を接続するための外部記憶媒体接続端子４５を備えている。この外部記憶媒体接続端子４５は、外部記憶媒体２７から外部入力映像データを取り込むための端子部及びインターフェース部からなり、カラオケ本体２１又はカラオケリモコン装置２２に内蔵されていてもよいし、カラオケ本体２１に接続可能な外部装置として設けてもよい。
【００２５】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。
【００２６】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケシステムで演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２７】
＜マイクロホン＞
マイクロホン２５は、歌唱音声の入力を行うための装置である。マイクロホン２５から入力された歌唱音声信号は、ミキシングアンプ２４により、音楽再生制御手段３７から送出される演奏音声信号とミキシングされると共に増幅され、スピーカ２３へ出力される。なお、マイクロホン２５からの音声入力信号を、Ａ／Ｄコンバータによりデジタル変換して、歌唱採点手段における採点等に使用してもよい。
【００２８】
＜表示装置＞
表示装置２６は、カラオケ楽曲に関連した背景映像や歌詞テロップ等を表示するための装置で、例えば、液晶ディスプレイ等により構成される。
【００２９】
＜カラオケ本体＞
カラオケ本体２１は、中央制御手段３１、ＲＯＭ３２、ＲＡＭ３３、ＨＤＤ３４、送受信手段３５、予約管理手段３６、音楽再生制御手段３７、映像再生制御手段３８、接続確認手段３９、背景映像選択手段４０、背景映像出力制御手段４１、歌詞文字サイズ選択手段４２、歌詞文字出力制御手段４３を備えている。さらに、本実施形態では、歌詞文字サイズ設定手段４４を備えることが可能である。
【００３０】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００３１】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａが記憶されるようになっている。なお、予約待ち行列３３ａは、選曲予約されたカラオケ楽曲について、演奏順に楽曲ＩＤを並べて構成されたデータテーブルであり、選曲者の利用者ＩＤ、外部入力映像データを背景映像として表示すべき旨のフラグ等、他の識別データが紐付けられている場合もある。
【００３２】
＜ＨＤＤ＞
ＨＤＤ３４は、大容量記憶装置として機能するもので、演奏データ３４ａ、背景映像データ３４ｂ、歌詞文字データ３４ｃが格納されている。なお、ＨＤＤ３４に替えて、あるいはＨＤＤ３４と共に、データを書き替え可能なＤＶＤ等の大容量記憶装置を用いてもよい。
【００３３】
＜演奏データ／背景映像データ／歌詞文字データ＞
演奏データ３４ａは、演奏制御データ（ＭＩＤＩ（登録商標）データ）及び歌詞描出データが同期されて構成される楽曲データについて、楽曲ＩＤと対応付けてそれぞれ構成されたデータである。演奏制御データは、各楽曲の演奏を制御するためのデジタルデータであり、歌詞描出データは演奏に同期した歌詞文字の表示タイミングデータ及び色変わりデータを含んでいる。背景映像データ３４ｂは、演奏されるカラオケ楽曲に対応した背景映像を、当該カラオケ楽曲の楽曲ＩＤに対応させた映像ファイルとして所定数格納したデータである。歌詞文字データ３４ｃは、歌詞テロップとして表示するための歌詞文字のフォントデータである。
【００３４】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００３５】
＜予約管理手段＞
予約管理手段３６は、利用者により楽曲検索手段２２ａの機能を用いて選曲された楽曲ＩＤを演奏順に並べて予約待ち行列３３ａを生成し、この予約待ち行列３３ａをＲＡＭ３３に格納して管理するためのプログラムからなる。
【００３６】
＜音楽再生制御手段＞
音楽再生制御手段３７は、楽曲ＩＤに基づいて演奏データ３４ａから抽出された演奏制御データに基づいて、音源データをデジタル再生すると共にアナログ変換してミキシングアンプ２４に出力するための電子回路である。上述したように、ミキシングアンプ２４は、マイクロホン２５から入力された歌唱者の歌唱音声信号と、音楽再生制御手段３７から送出される演奏音声信号とをミキシングすると共に、アンプ機能により増幅してスピーカ２３より出力させるための装置である。
【００３７】
＜映像再生制御手段＞
映像再生制御手段３８は、カラオケ楽曲の演奏中に、背景映像データ３４ｂから抽出した当該カラオケ楽曲にデフォルト設定されている背景映像データ又は外部記憶媒体２７に記憶された外部入力映像データと、演奏データ３４ａに含まれる歌詞描出データに基づいて歌詞文字データ３４ｃの中から選択された歌詞文字とを、当該カラオケ楽曲の演奏データに同期させて表示装置２６に出力するためのプログラムからなる。なお、本実施形態では、背景映像選択手段４０により選択された映像データが背景映像となり、歌詞文字サイズ選択手段４２により選択された文字サイズにより歌詞文字が表示される。
【００３８】
＜接続確認手段＞
接続確認手段３９は、再生可能な外部入力映像データが記憶された外部記憶媒体２７が、所定の外部記憶媒体接続端子４５に接続されたか否かを確認するためのプログラムからなる。接続確認手段３９では、外部記憶媒体接続端子４５に外部記憶媒体２７が接続されたか否かを確認するが、この際、接続された外部記憶媒体２７に記憶されたファイルが、カラオケ本体２１で再生可能な映像ファイルか否かも確認する。
【００３９】
さらに、既に再生が終了した映像ファイルを、再生可能な映像ファイルではないと認識させることも可能である。この場合には、楽曲の演奏途中で、外部記憶媒体２７に記憶された映像ファイルのすべてが再生されると、再生可能な外部入力映像データが記憶された外部記憶媒体２７が接続されていないものとして、当該楽曲にデフォルト設定された背景映像や、別途用意された背景映像が出力されることになる。
【００４０】
＜背景映像選択手段＞
背景映像選択手段４０は、ＳＤメモリカード等の外部記憶媒体２７の接続が確認されない場合、楽曲毎にデフォルト設定された背景映像データを背景映像として選択する一方、外部記憶媒体２７の接続が確認された場合、外部記憶媒体２７に記憶された外部入力映像データを背景映像として選択するためのプログラムからなる。すなわち、通常の状態では、楽曲毎にデフォルト設定された背景映像データが背景映像として選択される。一方、利用者が自ら持ち込んだ外部入力映像をカラオケと共に楽しむ際には、外部記憶媒体２７に記憶された外部入力映像データが背景映像として選択される。
【００４１】
＜背景映像出力制御手段＞
背景映像出力制御手段４１は、背景映像選択手段４０により選択された背景映像データ又は外部入力映像データのいずれかを出力するためのプログラムからなる。すなわち、背景映像出力制御手段４１では、楽曲毎にデフォルト設定された背景映像データ又は外部記憶媒体２７から取り込んだ外部入力画像データのいずれかを映像再生制御手段３８に出力することにより、利用者の所望に応じた映像データを背景映像として表示させることができる。
【００４２】
＜歌詞文字サイズ選択手段＞
歌詞文字サイズ選択手段４２は、背景映像選択手段４０が、デフォルト設定された背景映像データを選択した場合、デフォルト設定された表示サイズを選択し、外部記憶媒体２７に記憶された外部入力映像データを選択した場合、デフォルト設定された表示サイズよりも小さな表示サイズを選択するための手段である。すなわち、歌詞文字サイズ選択手段４２では、外部記憶媒体２７の接続が確認されずに、背景映像選択手段４０により、デフォルト設定された背景映像データが選択された場合には、表示装置２６に表示する歌詞文字サイズとして、楽曲毎にデフォルト設定された表示サイズが選択される。一方、利用者が外部入力映像データを背景映像として表示することを所望して、外部入力映像データが記憶された外部記憶媒体２７を外部記憶媒体接続端子４５に接続した場合には、表示装置２６に表示する歌詞文字サイズとして、デフォルト設定された表示サイズよりも小さな表示サイズを選択する。
【００４３】
なお、後に詳述するように、歌詞文字サイズ設定手段４４を備えた構成とした場合には、複数種類の文字サイズの中から、利用者映像データが記憶された外部記憶媒体２７が外部記憶媒体接続端子４５に接続された際に選択する歌詞文字の表示サイズが、複数の表示サイズの中から設定される。
【００４４】
＜歌詞文字サイズ設定手段＞
歌詞文字サイズ設定手段４４は、デフォルト設定された表示サイズよりも小さな表示サイズを、複数の表示サイズの中から利用者が設定可能とするためのプログラムからなる。例えば、楽曲毎にデフォルト設定された歌詞文字の表示サイズを「大」とすると、外部入力映像データを背景映像として表示する場合の歌詞文字の表示サイズとして、「中」、「小」、「極小」の３種類を選択可能としておく。そして、利用者が歌詞文字サイズ選択スイッチ等を操作して、所望する歌詞文字の表示サイズを「中」、「小」、「極小」の中から選択すると、歌詞文字サイズ設定手段４４では、選択された文字サイズとなるように、外部入力映像データを背景映像とする場合に表示する歌詞文字の表示サイズを設定する。なお、文字サイズの種類は上述した３種類に限られず２種類、あるいは４種類以上としてもよい。
【００４５】
＜歌詞文字出力制御手段＞
歌詞文字出力制御手段４３は、歌詞文字サイズ選択手段４２により選択された表示サイズの歌詞文字を出力するためのプログラムからなる。歌詞文字出力制御手段４３では、楽曲毎にデフォルト設定された表示サイズの歌詞文字又はこれよりも小さな表示サイズの歌詞文字を選択し、映像再生制御手段３８に出力することにより、背景映像の種類に応じて適切な表示サイズの歌詞文字を背景映像と共に表示させることができる。
【００４６】
＜背景映像及び歌詞文字の表示サイズの選択及び出力制御処理＞
次に、図３及び図４を参照して、本発明の実施形態に係るカラオケ歌詞文字サイズ制御システム１０における制御処理について説明する。上述したように、本発明の実施形態に係るカラオケ歌詞文字サイズ制御システム１０では、任意の楽曲が演奏される際に外部記憶媒体２７の接続状態を確認する。そして、外部記憶媒体２７が接続されていない場合には、背景映像として、楽曲毎にデフォルト設定された背景映像データを選択すると共に、歌詞文字の表示サイズとして、楽曲毎にデフォルト設定された表示サイズを選択する。一方、外部記憶媒体２７が接続されている場合には、外部記憶媒体２７から取り込んだ外部入力映像データを背景映像として選択すると共に、デフォルト設定された表示サイズよりも小さな表示サイズの歌詞文字を選択する。
【００４７】
映像再生制御手段３８では、選択された背景映像及び表示サイズの歌詞文字をスーパーインポーズ処理して表示装置２６に表示させる。例えば、図４に示すように、外部記憶媒体２７が接続されていない場合には、楽曲毎にデフォルト設定された背景映像データを背景映像として表示すると共に、デフォルト設定された表示サイズ（大）の歌詞文字を表示する。一方、外部記憶媒体２７が接続されている場合には、外部入力映像データを背景映像として表示すると共に、デフォルト設定された表示サイズ（大）よりも小さな表示サイズ（小）の歌詞文字を表示する。
【００４８】
歌詞文字の表示サイズの選択及び出力制御処理では、図３に示すように、接続確認手段３９の機能により、再生可能な外部入力映像が記憶された外部記憶媒体２７が接続されたか否かを確認する（Ｓ１）。ここで、再生可能な外部入力映像が記憶された外部記憶媒体２７が接続されていない場合には、背景映像選択手段４０の機能により、楽曲毎にデフォルト設定された背景映像データを背景映像として選択すると共に（Ｓ２）、歌詞文字サイズ選択手段４２の機能により、歌詞文字の表示サイズとして、デフォルト設定された表示サイズを選択する（Ｓ３）。
【００４９】
一方、再生可能な外部入力映像が記憶された外部記憶媒体２７が接続されている場合には、背景映像選択手段４０の機能により、外部記憶媒体２７から取り込んだ外部入力映像データを背景映像として選択すると共に（Ｓ４）、歌詞文字サイズ選択手段４２の機能により、歌詞文字の表示サイズとして、デフォルト設定された表示サイズよりも小さな表示サイズを選択する（Ｓ５）。
【００５０】
そして、背景映像出力制御手段４１の機能により、背景映像選択手段４０により選択された背景映像を出力すると共に、歌詞文字出力制御手段４３の機能により、歌詞文字サイズ選択手段４２により選択された表示サイズの歌詞文字を出力する（Ｓ６）。
【００５１】
なお、デフォルト設定された背景映像データを外部入力映像データに変更すると共に、歌詞文字の表示サイズを変更するタイミングは、どのようなものであってもよい。例えば、外部記憶媒体接続端子４５に外部記憶媒体２７が接続されると、直ちに変更を行っても良いし、外部記憶媒体接続端子４５に外部記憶媒体２７が接続された後に、次の楽曲の演奏が開始される際に変更を行ってもよいし、選曲予約を行う際に、背景映像及び歌詞文字の表示サイズを変更する楽曲の指定を行うようにしてもよい。また、外部入力映像の表示順序は、ファイル名順、撮影日付順、利用者による指定順、ランダム等、どのような順序であってもよいし、ムービーファイルを連続再生してもよい。さらに、楽曲の演奏中に表示すべき外部入力映像のすべてを表示してしまった場合には、最初の外部入力映像に戻って再度表示を行ってもよいし、予め用意された他の映像を表示してもよい。
【００５２】
また、歌詞文字サイズ設定手段４４の機能により歌詞文字の表示サイズが設定されている場合には、歌詞文字の表示サイズ選択のステップ（Ｓ３）において、設定された表示サイズの歌詞文字が選択される。
【００５３】
さらに、図示しないが、出力された背景映像及び歌詞文字は、映像再生制御手段３８の機能によりスーパーインポーズ処理され、カラオケ楽曲の演奏データに同期させて表示装置２６に表示される。
【００５４】
＜他の実施形態＞
本発明のカラオケ歌詞文字サイズ制御システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏装置を単体で動作させるのではなく、ホスト装置にネットワーク接続したカラオケ演奏端末として動作させてもよい。
【符号の説明】
【００５５】
１０  カラオケ歌詞文字サイズ制御システム
２１  カラオケ本体
２２  カラオケリモコン装置
２２ａ  楽曲検索手段
２２ｂ  楽曲索引データベース
２３  スピーカ
２４  ミキシングアンプ
２５  マイクロホン
２６  表示装置
２７  外部記憶媒体
３１  中央制御手段
３２  ＲＯＭ
３３  ＲＡＭ
３３ａ  予約待ち行列
３４  ＨＤＤ
３４ａ  演奏データ
３４ｂ  背景映像データ
３４ｃ  歌詞文字データ
３５  送受信手段
３６  予約管理手段
３７  音楽再生制御手段
３８  映像再生制御手段
３９  接続確認手段
４０  背景映像選択手段
４１  背景映像出力制御手段
４２  歌詞文字サイズ選択手段
４３  歌詞文字出力制御手段
４４  歌詞文字サイズ設定手段
４５  外部記憶媒体接続端子
【図１】
0005674408.tif 000002
【図２】
0005674408.tif 000003
【図３】
0005674408.tif 000004
【図４】
0005674408.tif 000005